(57)【要約】【課題】  プレートジベルを梁内における補強筋から深い位置まで挿入でき、引張抵抗にも強いコンクリート・梁接合構造を提供する。【解決手段】  このブレース・梁接合構造は、先端にガセットプレート２Ａ，２Ｂを有するブレース１を、鉄筋コンクリート造梁２０へ接合したものである。鉄筋コンクリート造梁２０のあばら筋２２は、梁２０の幅方向の中間から左右に分けて配置された分割あばら筋２２Ａ，２２Ｂとする。ブレース１の先端のガセットプレート２Ｂには、複数の孔３ａを有する鋼板製のプレートジベル３を設ける。このプレートジベル３を、コンクリート２３打設前の鉄筋コンクリート造梁２０の左右の分割あばら筋２２Ａ，２２Ｂの間に配置する。【選択図】      図２
2010112023.tif 000002
【特許請求の範囲】
【請求項１】
先端にガセットプレートを有するブレースを、鉄筋コンクリート造梁へ接合したブレース・梁接合構造であって、
前記鉄筋コンクリート造梁のあばら筋を、梁の幅方向の中間から左右に分けて配置された分割あばら筋とし、前記ブレースの先端のガセットプレートに、複数の孔を有する鋼板製のプレートジベルを設け、このプレートジベルをコンクリート打設前の前記鉄筋コンクリート造梁の左右の分割あばら筋の間に配置したことを特徴とするブレース・梁接合構造。
【請求項２】
請求項１において、前記鉄筋コンクリート造梁に、その左右の分割あばら筋にまたがるＵ字状の補強筋を配置したブレース・梁接合構造。
【請求項３】
請求項１または請求項２において、前記ブレースの先端のガセットプレートに、前記鉄筋コンクリート造梁の表面に接面するエンドプレートを連結し、このエンドプレートに前記プレートジベルを梁の幅方向に並べて複数枚設けたブレース・梁接合構造。
【発明の詳細な説明】
【技術分野】
【０００１】
この発明は、先端にガセットプレートを有するブレースを、鉄筋コンクリート造梁へ接合したブレース・梁接合構造に関する。
【背景技術】
【０００２】
この種のブレース・梁接合構造として、ブレースの先端のガセットプレートに、複数の孔を有する鋼板製のプレートジベルを設け、このプレートジベルを梁の内部に埋め込むことにより、接合部の引張・せん断抵抗を高めたものが知られている。この場合、鉄筋コンクリート造梁の補強筋を避けて梁の内部にプレートジベルを納める必要がある。
そこで、上記ブレース・梁接合構造において、鉄筋コンクリート造梁の補強筋を避けて梁の内部にプレートジベルを納める対策として、図６のように、プレートジベル５３に、補強筋を避ける複数の切欠状のスリット５３ａを形成したものも提案されている。
【特許文献１】特開２００６−１４４４７４号公報
【発明の開示】
【発明が解決しようとする課題】
【０００３】
しかし、図６のように、プレートジベル５３に補強筋を避ける切欠状のスリット５３ａを形成したのでは、梁内における補強筋から深い位置までプレートジベル５３を挿入して、引張抵抗にも強い構造とすることはできない。
【０００４】
この発明の目的は、プレートジベルを梁内における補強筋から深い位置まで挿入でき、引張抵抗にも強いコンクリート・梁接合構造を提供することである。
【課題を解決するための手段】
【０００５】
この発明のコンクリート・梁接合構造は、先端にガセットプレートを有するブレースを、鉄筋コンクリート造梁へ接合したブレース・梁接合構造であって、前記鉄筋コンクリート造梁のあばら筋を、梁の幅方向の中間から左右に分けて配置された分割あばら筋とし、前記ブレースの先端のガセットプレートに、複数の孔を有する鋼板製のプレートジベルを設け、このプレートジベルをコンクリート打設前の前記鉄筋コンクリート造梁の左右の分割あばら筋の間に配置したことを特徴とする。
この構成によると、あばら筋を左右に分けた分割あばら筋とし、ブレース先端のガセットプレートに設けたプレートジベルを前記左右の分割あばら筋の間に配置したため、鉄筋コンクリート造梁に対して容易に、かつ梁内における補強筋から深い位置までプレートジベルを挿入でき、引張抵抗にも強いプレート・梁接合構造とすることができる。
【０００６】
この発明において、前記鉄筋コンクリート造梁に、その左右の分割あばら筋にまたがるＵ字状の補強筋を配置しても良い。この構成の場合、プレートジベルの引張・剪断抵抗をより高めると共に、鉄筋コンクリート造梁の肌別れ防止効果も期待できる。
【０００７】
この発明において、前記ブレースの先端のガセットプレートに、前記鉄筋コンクリート造梁の表面に接面するエンドプレートを連結し、このエンドプレートに前記プレートジベルを梁の幅方向に並べて複数枚設けても良い。この構成の場合、１枚のガセットプレートに対して、複数枚のプレートジベルを設けることができ、より高い引張・せん断抵抗を持たせることができる。
【発明の効果】
【０００８】
この発明のブレース・梁接合構造は、先端にガセットプレートを有するブレースを、鉄筋コンクリート造梁へ接合したブレース・梁接合構造であって、前記鉄筋コンクリート造梁のあばら筋を、梁の幅方向の中間から左右に分けて配置された分割あばら筋とし、前記ブレースの先端のガセットプレートに、複数の孔を有する鋼板製のプレートジベルを設け、このプレートジベルをコンクリート打設前の前記鉄筋コンクリート造梁の左右の分割あばら筋の間に配置したため、プレートジベルを梁内における補強筋から深い位置まで挿入でき、引張抵抗にも強いコンクリート・梁接合構造とすることができる。
【発明を実施するための最良の形態】
【０００９】
この発明の第１の実施形態を図１ないし図３と共に説明する。図１は、隣接する鉄筋コンクリート柱３０，３０間に、上下の鉄筋コンクリート造梁２０，２０を架設してなる架構体１０において、上の梁２０の中間部と下の梁２０の端部との間をブレース１で接続したものである。ブレース１は、その上下両端にガセットプレート２Ａ，２Ｂを有し、そのガセットプレート２Ａ，２Ｂが上下の梁２０に接合される。
【００１０】
図２（Ａ）は、図１における下の梁２０のＡ部のブレース１が接合されない部分での拡大断面図を示し、図２（Ｂ）はブレースが接合された部分での拡大断面図を示す。鉄筋コンクリート造梁２０は、その長手方向に延びて配筋された上下それぞれ複数本の主筋２１、および上下主筋２１を囲んで巻いたあばら筋２２などの補強筋の配筋部にコンクリート２３を打設して構成される。あばら筋２２は、梁２０の幅方向の中間から左右に分けて配置された分割あばら筋２２Ａ，２２Ｂとされている。これと比較するために、図３には、一般的な鉄筋コンクリート造梁４０の断面図を示す。この場合、上下主筋２１を囲んであばら筋２２が梁４０の全幅にわたって巻かれている。
【００１１】
ブレース１の先端のガセットプレート２Ｂには、その先端から延びて複数の孔３ａを有する鋼板製の介在部材であるプレートジベル３が設けられている。梁２０への前記ブレース１の接合においては、前記プレートジベル３が、図２（Ｂ）のように、コンクリート２３打設前の梁２０の左右の分割あばら筋２２Ａ，２２Ｂの間に挿入して配置される。梁２０内において、プレートジベル３で分断されるコンクリート２３は、プレートジベル３の複数の孔３ａで橋状に繋がるので、プレートジベル３を梁２０の内部に挿入することにより、引張抵抗に強いプレート・梁接合構造とすることができる。
ここでは、梁２０の端部でのブレース１の接合構造について説明したが、梁２０の中間部でのブレース１の接合構造についても同様である。
【００１２】
このように、このブレース・梁接合構造によると、鉄筋コンクリート造梁２０のあばら筋２２を、梁２０の幅方向の中間から左右に分けて配置された分割あばら筋２２Ａ，２２Ｂとし、ブレース１の先端のガセットプレート２Ｂに、複数の孔３ａを有する鋼板製のプレートジベル３を設け、このプレートジベル３をコンクリート２３打設前の前記鉄筋コンクリート造梁２０の左右の分割あばら筋２２Ａ，２２Ｂの間に配置したので、鉄筋コンクリート造梁２０に対して容易に、かつ梁２０内における補強筋から深い位置までプレートジベル３を挿入できて、引張抵抗にも強いプレート・梁接合構造とすることができる。
【００１３】
図４は、この発明の他の実施形態を示す。このブレース・梁接合構造では、図１〜図３の実施形態において、前記鉄筋コンクリート造梁２０に、その左右の分割あばら筋２２Ａ，２２ＢにまたがるＵ字状の補強筋２４Ａ，２４Ｂが配置されている。一方の補強筋２４ＡはＵ字の開口を下向きとして、また他方の補強筋２４ＢはＵ字の開口を上向きとしてそれぞれ配置されている。その他の構成は図１〜図３の実施形態の場合と同様である。
【００１４】
このように、左右の分割あばら筋２２Ａ，２２ＢにまたがるＵ字状の補強筋２４Ａ，２４Ｂを配置することにより、プレートジベル３の引張・剪断抵抗をより高めると共に、鉄筋コンクリート造梁２０の肌別れ防止効果も期待できる。
【００１５】
図５は、この発明のさらに他の実施形態を示す。このブレース・梁接合構造では、図４の実施形態において、ブレース１の先端のガセットプレート２Ｂに、鉄筋コンクリート造梁２０の表面に接面するエンドプレート４を連結し、このエンドプレート４に前記プレートジベル３を梁２０の幅方向に並べて複数枚設けている。左右の分割あばら筋２２Ａ，２２ＢにまたがるＵ字状の補強筋４Ａ，４Ｂが配置されていることは、図４の実施形態の場合と同様である。その他の構成は図１〜図３の実施形態の場合と同様である。
【００１６】
このように、ブレース１の先端のガセットプレート２Ｂに、鉄筋コンクリート造梁２０の表面に接面するエンドプレート５を連結し、このエンドプレート５にプレートジベル３を梁２０の幅方向に並べて複数枚設けることにより、１枚のガセットプレート２Ｂに対して、複数枚のプレートジベル３を設けることができ、より高い引張・せん断抵抗を持たせることができる。
【図面の簡単な説明】
【００１７】
【図１】この発明の一実施形態にかかるブレース・梁接合構造が適用された架構体の正面である。
【図２】（Ａ）は図１のＡ部におけるブレースを接合しない部分での梁の拡大断面図、（Ｂ）ブレースを接合した部分での同梁の拡大断面図である。
【図３】従来の一般的な配筋構造の梁の拡大断面図である。
【図４】他の実施形態にかかるブレース・梁接合構造の拡大断面図である。
【図５】さらに他の実施形態にかかるブレース・梁接合構造の拡大断面図である。
【図６】従来例に用いられるプレートジベルの一例の斜視図である。
【符号の説明】
【００１８】
１…ブレース                                                                    ２Ａ，２Ｂ…ガセットプレート
３…プレートジベル
３ａ…孔
４…エンドプレート
２０…鉄筋コンクリート造梁
２２Ａ，２２Ｂ…分割あばら筋
２３…コンクリート
２４Ａ，２４Ｂ…Ｕ字状補強筋
【図１】
2010112023.tif 000003
【図２】
2010112023.tif 000004
【図３】
2010112023.tif 000005
【図４】
2010112023.tif 000006
【図５】
2010112023.tif 000007
【図６】
2010112023.tif 000008